(57)【要約】  光バランシングのための構成が提供される。該構成は、光バランシングと堅固な光束フィードバックを提供し、光源アレイと、個々の発光ダイオードの複数の列として配置される複数の光源と、少なくとも１つの光センサと、を有する。該構成は、該個々の発光ダイオードの複数の列の各々について光学的な寄与に関するフィードバックを提供し、それにより発せられる光をバランスのとれたレベルに維持する。
2014516199.tif 000002
【特許請求の範囲】
【請求項１】
光バランシングのための構成であって、前記構成は、
複数の光源を有する光源アレイを有し、前記複数の光源は、複数の個々の色チャネルを表し、個々の発光ダイオードの複数の列として配置され、前記装置は更に、
前記光源アレイに配置された少なくとも１つの導光構造を有し、前記少なくとも１つの導光構造は、前記複数の光源の少なくとも１つにより発せられた光の一部を集めて少なくとも１つの光センサへと導き、前記光の一部は、前記光源アレイから垂直に延在するものとして定義される光軸に略垂直に発せられた光を有し、前記光の一部は、前記光軸に沿って配置された反射器の開口に入るように意図された光から除外され、前記少なくとも１つの光センサは、前記導光構造に配置され、集められた光の光束を測定して、前記複数の個々の色チャネルの各々からの光学的な寄与を推定することが可能であり、前記少なくとも１つの導光構造及び前記少なくとも１つの光センサは更に、前記複数の個々の発光ダイオードの各々を調節するため、光学的な寄与に関連するフィードバックを提供して、発せられる光をバランスのとれたレベルに維持するように構成された構成。
【請求項２】
前記反射器は管状反射器であり、前記構成は更に前記管状反射器を有する、請求項１に記載の構成。
【請求項３】
前記管状反射器は、反射性内面、入射開口、及び前記入射開口よりも大きな出射開口を持ち、前記構成及び前記管状反射器は、前記光源から発せられた光が、前記入射開口において前記管状反射器に入り、前記管状反射器の中で、前記出射開口において出射されるべき、均一な色の混合された光の平行化されたビームを形成するように構成された、請求項２に記載の構成。
【請求項４】
前記導光構造は、前記管状反射器の前記入射開口に装着された、請求項２又は３に記載の構成。
【請求項５】
前記導光構造は、前記光源アレイに装着された、請求項１乃至４のいずれか一項に記載の構成。
【請求項６】
前記光源アレイは、好適には４乃至８個の面を持つ多角形形状を持つ、請求項１乃至５のいずれか一項に記載の構成。
【請求項７】
前記少なくとも１つの導光構造は、円形に配置された複数の光送りプローブを有する、請求項１乃至６のいずれか一項に記載の構成。
【請求項８】
前記複数の光送りプローブの各々は、前記光源アレイの前記面のそれぞれ１つに対応する位置に配置された、請求項７に記載の構成。
【請求項９】
前記光送りプローブは、渦状に配置された、請求項７又は８に記載の構成。
【請求項１０】
前記少なくとも１つの導光構造は、透過性ガラス及び／又は透過性高分子材料を有する群のうちの少なくとも１つに属する透過性部分を有し、前記透過性高分子材料は、ポリエチレンテレフタレート、ポリメチルメタクリレート及びポリカーボネートのうちの１つである、請求項１乃至９のいずれか一項に記載の構成。
【請求項１１】
前記少なくとも１つの導光構造は、導波器、光ファイバ、内部全反射光学素子、及び反射性光チャネルを有する群のうちの少なくとも１つに属する、請求項１乃至１０のいずれか一項に記載の構成。
【請求項１２】
前記光源アレイに配置された略透明な材料を更に有し、前記透明な材料は、前記少なくとも１つの導光構造の少なくとも一部に接触した、請求項１乃至１１のいずれか一項に記載の構成。
【請求項１３】
前記複数の光源は、第１の色の光を発するように構成された光源の少なくとも１つのセットと、前記第１の色とは異なる第２の色の光を発するように構成された光源の少なくとも１つのセットと、を有する、請求項１乃至１２のいずれか一項に記載の構成。
【請求項１４】
請求項１乃至１３のいずれか一項に記載の構成と、
反射性内面、入射開口、及び前記入射開口よりも大きな出射開口を持つ管状反射器と、
を有する発光ダイオード光源であって、前記構成及び前記管状反射器は、前記光源アレイから発せられた光が、前記入射開口において前記管状反射器に入り、前記管状反射器の中で、前記出射開口において出射されるべき、均一な色の混合された光の平行化されたビームを形成するように構成された、発光ダイオード光源。
【請求項１５】
請求項１乃至１３のいずれか一項に記載の構成を有する照明器具。
【発明の詳細な説明】
【技術分野】
【０００１】
本発明は、光バランシングのための構成に関する。更に詳細には、本発明は、光源アレイ及び導光構造を持つ光バランシングのための構成に関する。
【背景技術】
【０００２】
場面設定及び雰囲気形成が重要である多くの用途において、色付きの光が利用されている。用途の例は、劇場照明、建築照明、都市美観照明、更には店、ホテル、レストラン、病院、学校及びオフィス空間のための照明の分野に存する。今日、色付きの光は殆ど、所望の色を得るために白色光光源を色付きのフィルタと組み合わせることにより実現されている。
【０００３】
代替としては、多色ＬＥＤを備えたシステムが利用され得る。斯かるシステムは、フィルタなしで所望の色を生成するため、魅力的である。このことは効率の利点を持ち、より重要なことに、色が電子回路により変更されることができ、色を変えるためにフィルタを変える必要がなく、種々の原色を持つ幾つかのＬＥＤを組み合わせることによって全ての色が直接に利用可能である。電子的に調整された色を持つことは、照明システムを制御するために種々の自動的なプログラミング方法が利用されることを可能とし、フィルタが省略されるという事実は、より容易なサプライチェーン（フィルタが取り外される必要がない）及び色の一貫性（交換されたフィルタは変化をもたらし得る）に帰着する。これらのシステムのための市場は、ＬＥＤの性能が改善するにつれて急速に成長している。
【発明の概要】
【発明が解決しようとする課題】
【０００４】
同一のアレイに充填された多くのＬＥＤを持つ多チャネルＬＥＤ光源は、多チャネルの高光束ＬＥＤ用途において、及び多色娯楽スポット（劇場、旅行、ステージ、スタジオ用途）において、良く用いられている。これらのプロフェッショナル用途においては、ＬＥＤ製品間の色の一貫性（初期のものも寿命に亘るものも）が、大きな関心時であり要件である。それ故、初期の校正、温度フィードフォワード及び光学的なフィードバックを組み合わせ、堅固で信頼性の高いＬＥＤ光源を得る試みが為されている。フィードバック制御された照明システムの例は、米国特許出願公開US2009/0237003に開示されている。
【０００５】
しかしながら、これらのタイプの用途のための堅固な光束感知及び光学的フィードバックを提供する効率的な方法に対するニーズが、依然として存在する。
【０００６】
以上に鑑み、堅固な光束フィードバックを提供することができる、光バランシング（light balancing）のための構成を提供することが望ましい。システムの光出力を正確に測定するためには、多色ＬＥＤアレイにおいて又は多色ＬＥＤアレイの近くにおいて、光学的なフィードバックを統合することが望ましい。また、非常に大きな角度でＬＥＤから発せられ、従って反射器における多数回の反射のためにＬＥＤアレイに装着された反射器の出射開口に到達する小さな可能性しか持たない光を、効率的に利用することが望ましい。それ故、感知のために当該特定の光の一部を用いることは、スポットに対して非常に小さな寄与又は無視できる寄与しかもたらさないため、効率的な方法である。
【０００７】
更に、個々のチャネルについて光束感知を可能とすることが望ましい。換言すれば、各列について略バランスのとれた信号を得ること、即ち各色が光束信号に対して略等しいセンサ寄与を持つことが望ましい。
【０００８】
本発明の目的は、以上に言及された問題を解決する又は少なくとも軽減する構成を提供することにある。
【課題を解決するための手段】
【０００９】
本発明の第１の態様によれば、当該目的及び他の目的は、光バランシングのための構成であって、前記構成は、複数の光源を有する光源アレイを有し、前記複数の光源は、複数の個々の色チャネルを表し、個々の発光ダイオードの複数の列として配置され、前記装置は更に、前記光源アレイに配置された少なくとも１つの導光構造を有し、前記少なくとも１つの導光構造は、前記複数の光源の少なくとも１つにより発せられた光の一部を集めて少なくとも１つの光センサへと導き、前記光の一部は、前記光源アレイから垂直に延在するものとして定義される光軸に略垂直に発せられた光を有し、前記光の一部は、前記光軸に沿って配置された反射器の開口に入るように意図された光から除外され、前記少なくとも１つの光センサは、前記導光構造に配置され、集められた光の光束を測定して、前記複数の個々の色チャネルの各々からの光学的な寄与を推定することが可能であり、前記少なくとも１つの導光構造及び前記少なくとも１つの光センサは更に、前記複数の個々の発光ダイオードの各々を調節するため、光学的な寄与に関連するフィードバックを提供して、発せられる光をバランスのとれたレベルに維持するように構成された構成によって達成される。
【００１０】
有利にも、斯かる構成は、ＬＥＤアレイに非常に近いレベルにおいて配置された多数の統合導光部（導波器又はファイバ光学素子）を有する、多チャネルＬＥＤ光源のための、堅固な光束フィードバックを提供し得る。このことは、光束感知（個々のチャネルについての）及び各ＬＥＤ列について略バランスのとれた信号を可能とする。換言すれば、各色が、光束信号に対して略等しいセンサ寄与を持つ。
【００１１】
本発明による構成は、組み立て公差に比較的影響を受けにくく、堅固な製品の製造を可能とする。
【００１２】
導光構造において混合が実現されても良い。しかしながら、感知及びフィードバックと共に、初期の校正がＬＥＤアレイを有するモジュールに保存され得るため、完璧な混合は必要ではない。
【００１３】
本発明による構成は有利にも、混合及びコリメート用のラッパ型の反射器と共に実現されても良い。該反射器は、優れた色混合のために設計され得る。それ故、該反射器は、入射部の近くで略平行であっても良く、出射部の近くで広くなっていても良い。当該「ラッパ型の形状」は、多くの反射を通して入射部の近くで光を混合し、出射部の近くで光を平行化する。当該反射器形状の結果は、非常に大きな角度でＬＥＤから発せられる光が、多数回の反射のため、反射器の出射開口に到達する小さな確率しか持たないことである。本発明は、センサが当該光を利用するようにすることが有利であるという事実に基づく。このことは、スポットに寄与し得ない当該光の利用を最適化する。
【００１４】
一実施例においては、該導光構造は、光源アレイに装着されても良い。光源アレイに近い導光構造の配置は、該構成の光出力の正確な測定を可能とし、より適切な光学的フィードバックを可能とする。
【００１５】
本発明の第２の態様によれば、上述した目的及びその他の目的は、以上に開示された構成を有するＬＥＤ光源により達成される。
【００１６】
本発明の第３の態様によれば、上述した目的及びその他の目的は、以上に開示された構成を有する照明器具により達成される。
【００１７】
本発明は、請求項に記載された特徴の全てのとり得る組み合わせに関することに、留意されたい。従って、第１の態様の特徴及び利点の全ては、第２の態様及び第３の態様にも同様に当てはまる。
【００１８】
それぞれの特徴及び利点を含む本発明の種々の態様は、以下の詳細な説明及び添付図面から容易に理解されるであろう。
【図面の簡単な説明】
【００１９】
【図１】本発明によるＬＥＤアレイを示す。
【図２】一実施例によるＬＥＤアレイ及び管状反射器を有する構成を示す。
【図３】本発明によるＬＥＤアレイ及び導光構造を有する構成を示す。
【図４】本発明によるＬＥＤアレイ及び導光構造を有する構成を示す。
【図５】本発明によるＬＥＤアレイ及び導光構造を有する構成を示す。
【図６】本発明によるＬＥＤアレイ及び導光構造を有する構成を示す。
【発明を実施するための形態】
【００２０】
本発明は以下、本発明の現在好適な実施例が示された添付図面を参照しながら、より完全に説明される。しかしながら、本発明は多くの異なる形態で実施化され得るものであり、ここで開示される実施例に限定されるものとして解釈されるべきではなく、これら実施例は完全さのために提供されるものであり、本発明の範囲を完全に当業者に伝えるためのものである。図面を通して、同様の参照文字は同様の要素を示す。
【００２１】
図１は、高密度に充填された光源アレイ１を示す。図示された光源アレイは、基板３に装着され、約２９ｍｍの直径Ｄを持ち、６個の色チャネルを有し、１２０個のＬＥＤ２を持つ。図１に示されたような光源アレイ１の１つ以上が、光バランシングのための構成において使用されても良い。
【００２２】
実施例によれば、光源アレイ１は一般的に、第１の色の光を発するように構成された光源２の少なくとも１つのセットと、該第１の色とは異なる第２の光を発するように構成された光源２の少なくとも１つのセットと、を有しても良い。光源２のセットは、単一の光源により定義されても良い。同様に、光源２のセットは、発光ダイオード（ＬＥＤ）の列の形で提供されても良い。一実施例によれば、該光源は複数のＬＥＤを有する。好適には、該光源は５個乃至２５０個のＬＥＤを有する。より好適には、該光源は２０個乃至２００個のＬＥＤを有する。更に好適には、該光源は７０個乃至１５０個のＬＥＤを有する。光源の数を増大させることは、出力される光の光束（ｌｍ）を増大させ得る。光源の数を増大させることはまた、該構成により得られる異なる色の数も増大させ得る。
【００２３】
本発明の一実施例によれば、該光源は２乃至８個の異なる色のＬＥＤを有する。例えば、該ＬＥＤは、白色（Ｗ）、自然白色（ＮＷ）、暖白色（ＷＷ）、赤色（Ｒ）、緑色（Ｇ）、青色（Ｂ）、アンバー（Ａ）、シアン（Ｃ）、深紅（ｄＲ）及び／又は藍色（ｄＢ）発光スペクトルを持っても良い。これらの組み合わせにより、ＷＲＧＢＡｄＲｄＢの始動ＬＥＤの色座標によりつくられる色空間内となる、いずれの所望の光スペクトルもが得られる。一実施例によれば、該光源は斯くして、（ＲＧＢ）、（ＮＷ＋ＷＷ）、（ＲＧＢＡ）、（ＲＧＢＡＷ）、（ＲＧＢＷ）、（ＲＧＢＡＣ）、（ＲＧＢＡｄＲ）、（ＲＧＢＡＣｄＲ）、（ＲＧＢＡＣｄＲＷ）、（ＲＧＢＡＣｄＲｄＢ）等といった、複数の色を有する。
【００２４】
該光源アレイは、例えばＬＥＤの数、実現されるべき照明効果、及び該光源アレイと共に利用されるべき反射器（以下参照）のタイプに依存して、異なる形状を持ち得る。
【００２５】
本発明の一実施例によれば、該光源アレイは、好適には４乃至８個の面を持つ多角形の形状を持っても良い。
【００２６】
図２は、高輝度ＬＥＤ光源ベースの構成４の斜視図を示す。構成４は、高密度に充填されたＬＥＤアレイ１と、混合及び／又は平行化管状反射器５（ラッパ型反射器として知られる）とを有する。該管状反射器５は、入射開口６ａと出射開口６ｂとを持つ。ＬＥＤアレイ１からの光は、入射開口６ａにおいて受光され、混合された及び／又は平行化された光が、出射開口６ｂにおいて出射される。図２に示された実施例によれば、複数の光源２を有する光源アレイ１は、入射開口６ａにおいて該管状反射器へと光を発するように構成されても良い。それ故、光源アレイ１は、該管状反射器（の入射開口６ａ）の近くに又は隣接して配置されても良い。
【００２７】
更に、光軸７は斯くして、管状反射器５の出射開口６ｂに向けて光源アレイ１から形成されても良い。
【００２８】
管状反射器５は一般的に、反射性の内面と、入射開口６ａと、該入射開口よりも大きな出射開口６ｂと、を持っても良く、管状反射器５は、光源アレイ１から発せられた光が入射開口６ａにおいて該管状反射器に入り、管状反射器５内において出射開口６ｂにおいて出射されるべき一様な色の混合光の平行化されたビームを形成するように、配置されても良い。
【００２９】
一般的に、管状反射器５は、多角形（好適には長方形、正方形、五角形、六角形、七角形又は八角形）の断面、又は円形若しくは楕円形の断面を持っても良い。好適な実施例によれば、管状反射器５は、多くの（好適には７個の）面を有しても良い。
【００３０】
構成４は、スポット照明のための用途における光バランシングに適している。以上に議論されたように、これらのタイプの用途においては、堅固で信頼性の高いＬＥＤ光源を実現することが望ましい。初期の校正、温度フィードフォワード及び光学的なフィードバックといった種々の因子の適切な態様による組み合わせは、堅固で信頼性の高いＬＥＤ光源に導き得る。
【００３１】
しかしながら、該管状反射器の形状の結果は、光の特定の部分が非常に大きな角度でＬＥＤから発せられることであり、このことは、反射器における多数回の反射のため、該反射器の出射開口に到達する小さな可能性をもたらす。
【００３２】
以上に議論された問題を解決し、当該構成の光学的なフィードバックを改善するために効率的な方法は、ＬＥＤアレイに導光構造を備えることであることが見出された。該導光構造は、光ファイバの複数の統合導波構造を有し得る。斯かる導光構造は、個々のチャネルについての光束感知を可能とし、各ＬＥＤ列について略バランスのとれた信号を提供する。換言すれば、各色が光束信号に対して略等しいセンサ寄与を持つ。
【００３３】
該導光構造は、該管状反射器の入射開口に装着されても良い。
【００３４】
ＬＥＤアレイが他の平行化又は混合光学素子と組み合わせられても良く、これによりモジュール化が実現され得る。
【００３５】
とりわけ、当該構成は、色チャネルごとに多数のＬＥＤ（４乃至５０個）を有するＬＥＤアレイであって、経時変化差が強くシミュレートされている場合に、好適に動作することが示されている。経時変化差の一例は、青色、緑色及び白色ＬＥＤとの赤色ＬＥＤの組み合わせである。赤色ＬＥＤは他のものよりもかなり早く劣化し、このことが電流又はデューティサイクルを調節することによって補償されない場合には、同じ制御入力が与えられても、古い光源の色は新しい光源の色と異なって見えてしまうこととなる。
【００３６】
図３は、斯かる構成８を示す。構成８は、光源アレイ１と、一実施例による導光構造９ａを有する。図１に関して以上に説明されたように、構成８は一般的に、光を発する複数の光源を有する光源アレイを有し得る。該複数の光源は、複数の個々の色チャネルを表し、個々の発光ダイオードの複数の列として配置されても良い。
【００３７】
構成８は、光源アレイ１に配置された少なくとも１つの導光構造９ａを有しても良く、ここで該少なくとも１つの導光構造９ａは、該複数の光源のうちの少なくとも１つにより発せられた光の一部を集め、少なくとも１つの光センサ（図示されていない）に導く。以上に言及したように、光の当該部分は、該光源アレイから垂直方向に延在するものとして定義される光軸に略垂直に発せられた光を有し得る。光の当該部分は、光軸に沿って配置された反射器（例えば以上に開示された反射器５）の開口に入ることを意図された光からは除外され、ここで該少なくとも１つのセンサは、導光構造９ａに配置されても良く、集められた光の光束を測定して、これにより複数の個々の色チャネルのそれぞれからの光寄与を推定することが可能である。該少なくとも１つの導光構造９ａ及び該少なくとも１つの光センサは更に、個々の発光ダイオードの複数の列のそれぞれを調節するための光学的寄与に関連するフィードバックを提供し、それにより発せられる光をバランスのとれたレベルに維持するように構成されても良い。
【００３８】
一般的に、導光構造９ａは、多くの異なる形状をとり得、種々のＬＥＤからの光を光束センサが装着された集光手段へと統合し得る。一般的に、導光構造９ａは、スペーサ環１０ａと、バランスのとれた光学的フィードバックのための統合導波構造（環）とを有しても良い。スペーサ環１０ａは、ＬＥＤアレイと混合／平行化光学素子との間の力学的及び光学的なインタフェースとして機能し得る。一般的に、複数の光送りプローブが、種々の態様で該スペーサ環から延在し得、光束センサが、外側環に配置されて各ＬＥＤ列の光寄与を感知しても良い。該光束センサは、光ダイオードであっても良い。当該構成は、ＬＥＤアレイにおける異なるＬＥＤ位置からの導光構造において結合された光の寄与を算出する可能性をもたらす。このことは、ＬＥＤアレイを複数の行及び列に分割し、種々の位置を生成することによって実現され得る。各位置及び各色からの光寄与は、個別に算出される。
【００３９】
図３における導光構造９ａは複数の光送りプローブを持ち、その１つが参照番号１１ａにより示されており、円形に配置されている。より詳細には、該光送りプローブは、渦形状に配置されても良い。このようにして、該光送りプローブは、該構成をかさばったものとすることなく、比較的長い長さを与えられ得る。
【００４０】
該少なくとも１つの導光構造９ａは、光源アレイに装着されても良い。このことは、光送りプローブがＬＥＤアレイの非常に近くに配置されることを可能とし、このことは該構成の堅固さを向上させるため、本発明に有利である。
【００４１】
以上に説明された光束感知は、例えば高い周波数で、時間連続的モードで動作させられても良い。更に、例えばシステムの起動のときのみといったように、曜日ごとに限られた回数だけ光学的フィードバックを適用することでも十分であり得る。
【００４２】
好適な実施例においては、（列における）各ＬＥＤの寄与が測定されても良い。斯かる各ＬＥＤからの寄与の詳細な測定は、好適に平均化された色光束信号に帰着し得る。
【００４３】
該少なくとも１つの導光構造は、透過性ガラス及び／又は透過性高分子材料を有する群のうちの少なくとも１つに属する透過性部分を有しても良く、ここで透過性高分子材料は、ポリエチレンテレフタレート（ＰＥＴ）、ポリメチルメタクリレート（ＰＭＭＡ）、ポリカーボネート、環状オレフィン共重合体（ＣＯＣ）、ポリスチレン（ＰＳ）、ポリスルホン、ポリアミド、ポリエーテルイミド（ＰＥＩ）、ポリメタクリルメチルイミド（ＰＭＭＩ）、スチロールアクリルニトリル（ＳＡＮ）、アクリルニトリルブタジエンスチロール共重合体（ＡＢＳ）、ポリフェニルスルホン（ＰＰＳＵ）及びポリエーテルスルホン（ＰＥＳ）のうちの１つである。
【００４４】
少なくとも１つの導光構造は、導波器、光ファイバ、内部全反射（ＴＩＲ）光学素子、及び反射性光チャネルを有する群のうちの少なくとも１つに属しても良い。
【００４５】
一実施例においては、該構成は更に、光源アレイに配置された略透明な材料を有しても良い。該透明な材料は、該少なくとも１つの導光構造の少なくとも一部と接していても良い。当該材料は、ＬＥＤ及びワイヤボンドの略のためのカプセル化材として機能するが、ＬＥＤからの光の脱結合をも向上させる。当該透明な材料は好適には、レンズ又は複数のマイクロレンズ形状を持つ。堅固な構成を実現するため、ＬＥＤアレイ又はその少なくとも一部に透明な保護層を貼付することが好適であり得る。構成要素（ＬＥＤ）及びワイヤボンドは、湿気、汚れ及び意図しない損傷から保護され得る。このことは、オーバーモールド又はアンダーフィル手法により、（グロブトップのような）シリコンの懸濁により実現され得る。
【００４６】
好適な実施例によれば、該透明な材料は、透明な導波又は導光構造の入射窓の少なくとも一部と隣接するか又は光学的に接触していても良い。
【００４７】
複数の光送りプローブの各々は、光源アレイの面のそれぞれ１つに対応する位置に配置されても良い。
【００４８】
光送りプローブの端面は、該光送りプローブの本体に対して４５°傾けられ、光が該本体から略垂直に脱結合するようにされていても良い。このようにして、光ダイオード又は別の光センサに向けて光が特に効率的に向けられる。このようにして、一実施例によれば、該センサは、ＬＥＤと同一面であっても又は同一の基板上でさえあっても、ＬＥＤアレイに略平行に配置されることができる。他の実施例によれば、該センサは、ＬＥＤ基板とは異なるが該ＬＥＤ基板と平行な基板に配置されても良い。
【００４９】
同様に、該光送りプローブの入射面は、光の結合を増大させるため、ＬＥＤに向けて傾けられていても良い。
【００５０】
例えば光学的接着剤、シリコーン等によって、該光送りプローブの端面と該センサとの間に光学的なリンクが形成されても良い。
【００５１】
図４は、光源アレイ１、導光構造９ｂ及びスペーサ環１０ｂを有する、一実施例による構成１２を示す。図４における導光構造９ｂは複数の光送りプローブを持ち、そのうち１つは参照番号１１ｂにより示されている。該光送りプローブは、以上に説明されたものによるものと同じ機能を持ち、図示された形状でスペーサ環から延在するように配置されても良い。
【００５２】
図５ａは、光源アレイ１、導光構造９ｃ及びスペーサ環１０ｃを有する、一実施例による構成１３を示す。図５ａにおける導光構造９ｃは複数の光送りプローブを持ち、そのうち１つは参照番号１１ｃにより示されている。導光構造９ｃは更に複数の光センサを持ち、そのうちの１つが参照番号１４ａにより示されている。該光送りプローブは、以上に説明されたものによるものと同じ機能を持ち、七角形状のスペーサ環の各角から延在するように配置されても良い。
【００５３】
他の代替例により、図５ｂは、図５ａの構成１３に類似する構成１５を示す。構成１５は、光源アレイ１、導光構造９ｄ及びスペーサ環１０ｄを有する。図５ｂにおける導光構造９ｄは複数の光送りプローブを持ち、そのうち１つは参照番号１１ｄにより示されている。導光構造９ｄは更に複数の光センサを持ち、そのうちの１つが参照番号１４ｂにより示されている。該光送りプローブは、以上に説明されたものによるものと同じ機能を持ち、七角形状のスペーサ環の各辺から延在するように配置されても良い。
【００５４】
図６は、光源アレイ１、上部導光構造９ｅ及び下部導光構造９ｆを有する、更に他の実施例による構成１６を示す。光源アレイ１及び導光構造９ｅ、９ｆの機能は図３に関連して以上に議論されており、同様の態様で機能する。
【００５５】
要約すると、光バランシングのための構成が開示された。該構成は、光（好適には種々のスペクトル内容及び／又は種々の色の）を管状反射器へと発するように構成された複数の光源を有する光源アレイを有する。該システムは更に、少なくとも１つの導光構造及び少なくとも１つの光センサを有する。該光源アレイ、導光構造及び光センサは、光学的なフィードバックを提供し、発せられる光をバランスのとれたレベルに維持するように構成される。
【００５６】
本発明は決して以上に説明された好適な実施例に限定されるものではないことは、当業者は理解するであろう。反対に、添付される請求の範囲内で、多くの変更及び変形が可能である。例えば、開示された構成は、ＬＥＤ光源の一部であっても良い。従って、ＬＥＤ光源は、１つ以上の以上に開示された構成を有しても良い。同様に、開示された構成は、照明器具の一部であっても良い。
【図１】
2014516199.tif 000003
【図２】
2014516199.tif 000004
【図３】
2014516199.tif 000005
【図４】
2014516199.tif 000006
【図５ａ】
2014516199.tif 000007
【図５ｂ】
2014516199.tif 000008
【図６】
2014516199.tif 000009
【国際調査報告】
2014516199.tif 000010
2014516199.tif 000011
2014516199.tif 000012